(57)【要約】【課題】芳香を発散するビーズ装飾品の製作を容易ならしめる製作キットを提供する。【解決手段】ビーズ１２と、ビーズ１２を連結する連結紐１３と、芳香液含浸性を有する芳香担体１４と、を含むビーズ装飾品製作キット１０。芳香担体１４に好みの芳香液１５を含浸させることで、手軽に好みの芳香を発散するビーズ装飾品を得ることができる。芳香液１５はあらかじめキット１０に同梱することもできる。芳香担体１４として木製ビーズを用いると、染みこませた芳香が少しずつ揮発するため、芳香が長持ちし、ビーズ装飾品として見た目の統一感もあるため、好ましい。【選択図】図１
0003125682.tif 000002
【実用新案登録請求の範囲】
【請求項１】
ビーズと、該ビーズを連結する連結紐と、芳香液含浸性を有する芳香担体と、を含むビーズ装飾品製作キット。
【請求項２】
該芳香担体が木製ビーズである請求項１に記載のビーズ装飾品製作キット。
【請求項３】
該芳香担体が組紐製ストラップである請求項１に記載のビーズ装飾品製作キット。
【請求項４】
更に、密閉容器に収納された芳香液を含む請求項１〜３のいずれかに記載のビーズ装飾品製作キット。
【請求項５】
該連結紐が芳香液含浸性を有する請求項１〜４のいずれかに記載のビーズ装飾品製作キット。
【考案の詳細な説明】
【技術分野】
【０００１】
本考案は、ビーズ製のアクセサリーや装飾品を手作りすることができる製作キットに関する。
【背景技術】
【０００２】
従来から、アクセサリーや装飾品としてビーズ（連結紐を通す孔を有する小さなガラス玉やプラスチック玉）を用いてつくられたものは人気が高い。近年では、個人の好みに応じたものを製作したいという要望が高まり、ビーズ等の材料を購入して好みのものを製作する人が増えている。ビーズには、種々の色やサイズ、カットのものがあり、それらの組み合わせで好みのものが製作できるため、人気は高まっている。
【０００３】
その材料の調達を容易にするため、また、初心者でも簡単に製作できることを目的として、ビーズ等の材料と作り方の説明書をあらかじめセットにした製作キットは、すでに種々出回っている。例えば、特許文献１には、好みのアクセサリーを簡単に作れるビーズ玩具セットが開示されている。
【０００４】
また、完成品の形状も、指輪やイヤリング、ネックレスといった身飾品から、動物や雑貨類、食品の形状をしたものなど多岐にわたり、大量生産されたものにはないオリジナリティを求める人々のニーズに応えるものとなっている。特許文献２には、手作り装身具用シャワー台セットが開示されており、好みの香水を染みこませたシートを貼着させて、完成した指輪から香りを出すことができる、との記載がある。  
【０００５】
本願の考案者は、製作者の創作意欲をより刺激し、完成品に対する満足度をより高めるために、種々の形状のビーズ装飾品に芳香をつけることに思い至り、その製作を容易なさしめる本願を考案した。
【０００６】
【特許文献１】登録実用新案第3033453号公報
【特許文献２】登録実用新案第3097984号公報
【考案の開示】
【考案が解決しようとする課題】
【０００７】
本考案が解決しようとする課題は、芳香を発散するビーズ装飾品の製作を容易ならしめる製作キットを提供することである。
【課題を解決するための手段】
【０００８】
上記課題を解決するために成された本考案に係るビーズ装飾品製作キットは、ビーズと、該ビーズを連結する連結紐と、芳香液含浸性を有する芳香担体と、を含むことを特徴とする。
【考案の効果】
【０００９】
種々のビーズや連結紐だけでなく、含浸性を有する芳香担体が材料としてあらかじめ同梱されているため、材料を調達する余分な手間なく製作を始めることができ、芳香担体に好みの芳香液を含浸させることで、手軽に好みの芳香を発散するビーズ装飾品を得ることができる。芳香液はあらかじめキットと同梱することもできる。
【考案を実施するための最良の形態】
【００１０】
芳香担体として木製ビーズを用いると、染みこませた芳香が少しずつ揮発するため、芳香が長持ちし、ビーズ装飾品として見た目の統一感もあるため、好ましい。ビーズ装飾品の完成品が、その一部に木製ビーズを含めることのできる形状ではない場合は、完成品に取り付ける組紐製ストラップ等を芳香担体として用いてもよい。また、連結紐そのものが含浸性を有する場合は、連結紐に芳香液を含浸させておくことで、同様に完成品から芳香を発散させることができる。
【００１１】
芳香担体に含浸させる芳香液の種類は限定されない。ビーズ装飾品のできあがりの形状に応じた芳香のするものや、アロマテラピーの観点から有用なもの、虫除けの効果のあるもの等、種々の芳香液を用いることができ、できあがりのビーズ装飾品に癒し効果や除虫効果などの機能を付加することもできる。
【００１２】
芳香液を含浸させる方法としては、スポイト等の含浸手段を別に設けてもよいが、スポイト等の含浸手段自体が芳香液を収納する容器であってもよい。
【実施例】
【００１３】
以下、図面を用いて、本考案に係るビーズ装飾品製作キット１０の実施例を説明する。
【００１４】
図１は、本考案に係るビーズ装飾品製作キット１０の一実施例の部品を示したものである。本実施例の完成品であるビーズ装飾品１１は、ショコラプチケーキの形状が想定されている。製作キット１０の中には、ビーズ１２としてスワロフスキービーズやチェコビーズ等(径3mm他)が、連結紐１３としてテグス２号が、芳香担体１４としてウッドビーズ(径6mm)が含まれている。さらに、芳香液１５を封入した瓶と、芳香担体１４に芳香液１５を含浸させるためのスポイト１６が同梱されている。本実施例では、完成品の形状(ショコラプチケーキ)に合わせ、芳香液１５としてショコラエッセンスを封入している。製作キット１０には、製作手順を示す説明書１７も同梱されている。
【００１５】
本実施例の利用者は、説明書１７の記載に従い各種ビーズ１２に順に連結紐１３を通し、金具等を所定の位置に固定して、全体をショコラプチケーキの形状に成形してゆく。その際、芳香担体１４にも連結紐１３又は金具を通してビーズ装飾品１１に固定する。本実施例の完成状態では、芳香担体１４はショコラプチケーキの形状を成すビーズ装飾品１１の内部の空洞に配置される。
【００１６】
こうしてビーズ装飾品１１を完成した後、芳香担体(ウッドビーズ)１４に芳香液１５を含浸させる。図２に示すように、まずスポイト１６に芳香液１５を吸引し(a)、次に、吸引した芳香液１５を芳香担体１４に滴下して染みこませる(b)。なお、組み立てる前に芳香担体１４に芳香液１５を染みこませておき、その後組み立てるようにしてもよい。
【００１７】
図３に、本実施例により製作されたビーズ装飾品１１の斜視図を示す。本実施例では、完成したビーズ装飾品１１から芳香が発散し、より装飾性が高まる。また、その芳香が完成品（図３の場合、ショコラプチケーキ）と関連する芳香である場合、より趣向が高まる。
【００１８】
なお、完成後、時間の経過とともに芳香が弱まってきたときには、同様にして芳香担体１４に芳香液１５を再び染みこませることで、弱まった芳香を強めることができる。
【００１９】
図４に、別の実施例により製作されたビーズ装飾品２１を示す。この実施例では、芳香担体として組紐製ストラップ２２が同梱され、製作に用いられる。木製ビーズを含ませることのできない形状、あるいは、できるが別のもの（鈴など）を内部に配置したい場合などに適している。組紐製ストラップ２２の玉結び部分に、木製ビーズと同様に芳香液１５を含浸させることで、完成したビーズ装飾品２１から芳香を発散させることができる。
【図面の簡単な説明】
【００２０】
【図１】本考案に係るビーズ装飾品製作キットの一実施例の部品を示す図。
【図２】本実施例において木製ビーズに芳香を含ませる手順を示す図。
【図３】本実施例により製作されたビーズ装飾品を示す斜視図。
【図４】別の実施例により製作されたビーズ装飾品を示す斜視図。
【符号の説明】
【００２１】
１０…ビーズ装飾品製作キット
１１…ビーズ装飾品
１２…ビーズ
１３…連結紐
１４…芳香担体
１５…芳香液
１６…スポイト
１７…説明書
２１…ビーズ装飾品
２２…組紐製ストラップ
【図１】
0003125682.tif 000003
【図２】
0003125682.tif 000004
【図３】
0003125682.tif 000005
【図４】
0003125682.tif 000006